(57)【特許請求の範囲】
【請求項１】
掘削した地盤内に充填するセメント系ミルク類及びセメント系粉体類の攪拌混練機に使用される攪拌混練ヘッドであり、
攪拌混練機のブームアーム先端部で脱着自在に取り付けられ、軸心方向を回転軸として１８０度回転可能に構成された支持杆と、該支持杆の両側に設けられた一対の攪拌混練ドラムと、攪拌混練ドラムの外周面に植立された複数の攪拌混練翼と、を備えた攪拌混練機の攪拌混練ヘッドであって、
前記攪拌混練翼は、攪拌混練ドラムの外周面においてドラム軸心方向に向かって略４列に分け、全体で１２枚から３０枚に分散して前記各列に各々植立されると共に、
支持杆側の３列分は略垂直方向に向かって植立させ、攪拌混練ドラムの各々外側に位置する列に植立した攪拌混練翼は外側斜めに略７０度に傾斜させて植立させてなり、
前記攪拌ドラムの内側に植立された攪拌混練翼の長さは、攪拌ドラムの両外側に植立された攪拌混練翼の長さより短い長さに構成され、
前記一対の攪拌混練ドラム軸心方向外側面の外周縁近傍位置には各々外側へ突出する補助攪拌混練翼が円状に間隔をおいて複数本植立された、
ことを特徴とする攪拌混練機の攪拌混練ヘッド。
【請求項２】
前記攪拌混練翼の外周面に、丸棒状補強部材を略綾状、略縞状及び略格子状に交差させて固着したことを特徴とする請求項１記載の攪拌混練機の攪拌混練ヘッド。
【請求項３】
前記補助攪拌混練翼の外周面に、丸棒状補強部材を略綾状、略縞状及び略格子状に交差させて固着したことを特徴とする請求項１または請求項２記載の攪拌混練機の攪拌混練ヘッド。
【請求項４】
前記攪拌混練ドラムの外周面には、長尺板状の補強帯板を貼着して前記ドラム外周面を補強したことを特徴とする請求項１、請求項２または請求項３記載の攪拌混練機の攪拌混練ヘッド。
【請求項５】
前記攪拌混練ドラムに植立された任意の攪拌混練翼に、該攪拌混練翼の側面から突出する突起物を設けたことを特徴とする請求項１、請求項２、請求項３または請求項４記載の攪拌混練機の攪拌混練ヘッド。
【発明の詳細な説明】
【０００１】
【発明の属する技術分野】
本発明は、例えば建設用油圧ショベルのショベルバケットに代えてブームアームの先端に取り付けられる掘削した玉石を含む砂礫や土砂等にセメント系ミルク類及びセメント系粉体類を攪拌混練する攪拌混練機に使用される攪拌混練ヘッドに関するものである。
【従来の技術】
従来、ダム本体を含む関連施設、海岸、河川等の護岸、堤防を含む関連施設並びに砂防ダムを含む関連施設などのコンクリート構造物及び土構造物を構築する場合、例えば油圧ショベルで地盤が掘削され、次いで型枠が組み立てられて、該型枠内へ生コンクリートが打設される。
【０００２】
さらに打設したコンクリートの養生後、型枠が取り外されてその箇所が埋め戻され、これにより基礎が完成すると、上部に構造物が設けられる。
【０００３】
ところが、打設される生コンクリートがコンクリート製造工場からミキサー車で運搬されることから、工事に多くの費用を要する。
【０００４】
そこで近年では、現場であるいは現場近くで掘削した地盤の玉石を含む砂礫及び土砂自体がコンクリートの材料として利用されてきており、さらに土砂および砂礫層の地盤改良にも適用されることが提案されている。
【０００５】
ここで、ショベルはブームアームの先端にあらかじめ取り付けられたショベルバケットでその構造物を構築または改良する地盤の至近な現場地盤を掘削し、掘削の地盤に含まれる玉石を含む砂礫及び土砂を近傍に積み上げ、該積み上げた玉石を含む砂礫及び土砂を掘削箇所へ一定の高さ分（数十センチ）だけ敷設する。
【０００６】
そして、ブームアームの先端に取り付けられていたショベルバケットを取り外し、これに代えて攪拌混練ヘッドを取り付ける構造となっている。
【０００７】
また、現場近くにスラリープラントまたはセメントサイロを用意してブームアームにスラリー噴射部または粉体噴射部を取り付け、掘削し敷き並べた玉石を含む砂礫及び土砂を固化すべくスラリーまたは粉体を敷き並べた玉石を含む砂礫及び土砂部へ噴射しながら攪拌混練ヘッドで混練りできる。
【０００８】
しかして、その部分のコンクリート並びに改良地盤の養生後、その上に玉石を含む砂礫及び土砂等を敷設，再び混練りの工程が行われ、最終的には重層の基礎並びに改良地盤が形成されてダム本体を含む関連施設及び河川、海岸などのコンクリート構造物等がその基礎上或いは改良地盤上に設けられる。
【０００９】
なお、地盤によってはショベルバケットによる掘削作業を省略して直ちに攪拌混練ヘッドで混練りの作業を同時に行うことができる。
【００１０】
以上のように、現場を掘削してコンクリート用材料として調達、または支持力が不足する支持地盤をそのまま混練容器とし、掘削用のショベルを攪拌混練機として流用できることから、コストを大幅に削減しながら効率良く工事が行われることになった。
【００１１】
【発明が解決しようとする課題】
かくして、本発明は従来使用されていた攪拌混練機の攪拌混練ヘッドにさらに改良を加えたものであり、従来と比較し効率よく攪拌混練が行え、その結果質の良いコンクリート基礎あるいは構造物が形成できると共にこれまで不可能とさてきた砂礫層や上砂等の地盤改良にも適用できることとなった。また従来に比し耐久性が向上した攪拌混練ヘッドが提供できる結果、作業コストを大幅に低廉化できる攪拌混練機の攪拌混練ヘッドを提供することを目的とするものである。
【課題を解決するための手段】
本発明による攪拌混練機の攪拌混練ヘッドは、掘削した地盤内に充填するセメント系ミルク類及びセメント系粉体類の攪拌混練機に使用される攪拌混練ヘッドであり、攪拌混練機のブームアーム先端部で脱着自在に取り付けられ,軸心方向を回転軸として180度回転可能に構成された支持杆と、該支持杆の両側に設けられた一対の攪拌混練ドラムと、攪拌混練ドラムの外周面に植立された複数の攪拌混練翼と、を備えた攪拌混練機の攪拌混練ヘッドであって、前記攪拌混練翼は、攪拌混練ドラムの外周面においてドラム軸心方向に向かって略４列に分け、全体で１２枚から３０枚に分散して前記各列に各々植立されると共に、支持杆側の３列分は略垂直方向に向かって植立させ、攪拌混練ドラムの各々外側に位置する列に植立した攪拌混練翼は外側斜めに略７０度に傾斜させて植立させてなり、前記攪拌ドラムの内側に植立された攪拌混練翼の長さは、攪拌ドラムの両外側に植立された攪拌混練翼の長さより短い長さに構成され、
前記一対の攪拌混練ドラム軸心方向外側面の外周縁近傍位置には各々外側へ突出する補助攪拌混練翼が円状に間隔をおいて複数本植立された、ことを特徴とし、または、前記攪拌混練翼の外周面に、丸棒状補強部材を略綾状、略縞状及び略格子状に交差させて固着したことを特徴とし、または、前記補助攪拌混練翼の外周面に、丸棒状補強部材を略綾状、略縞状及び略格子状に交差させて固着したことを特徴とし、または、前記攪拌混練ドラムの外周面には、長尺板状の補強帯板を貼着して前記ドラム外周面を補強したことを特徴とし、または、攪拌混練ドラムに植立された任意の攪拌混練翼に、該攪拌混練翼の側面から突出する突起物を設けたことを特徴とするものである。
【発明の実施の形態】
以下本発明を図に示す実施例に基づいて説明する。
【００１２】
本発明による攪拌混練機に使用される攪拌混練ヘッド１は、支持杆２と一対の攪拌混練ドラム３，３と該攪拌混練ドラム３の外周面に植立された複数本の攪拌混練翼４とを備えて構成されている。
【００１３】
前記支持杆２は攪拌混練機のブームアーム先端部５で着脱自在に取り付けられ、かつ支持杆２の軸心方向を回転軸として１８０度回転できるよう構成されている。
【００１４】
そして、この支持杆２の両側には一対の攪拌混練ドラム３，３がそのドラム軸心方向に設けられたドラム回転軸部を回転軸として回転できるよう軸支されている。
【００１５】
また、一対の攪拌混練ドラム３の円筒状外周面には複数本の攪拌混練翼４が植立されている。
【００１６】
ここで、該攪拌混練翼４の植立状態につき説明する。
【００１７】
図１から理解されるように攪拌混練ドラム３の円筒状外周面において、該攪拌混練ドラム３の軸心方向に向かってたとえば４列に分け、各列に複数本づつ間隔をあけて植立させている。しかも、支持杆２側からの３列分は
図１から理解されるようにほぼ垂直方向に向かって植立されているが、ドラム３の各々外側に位置する列については外側に７０度程度に傾けて植立してある。
【００１８】
このような攪拌混練翼４の植立状態とすれば、従来に比して効率よく玉石を含む砂礫や土砂等にセメント系ミルク類及びセメント系粉体類を攪拌混練できる。
【００１９】
ここで、攪拌混練翼４の枚数は片方の攪拌混練ドラム３につき６枚から１５枚程度とされており、またその長さは１０センチメートル乃至５０センチメートル、巾は５センチメートル乃至１０センチメートル、厚さは１．０センチメートル乃至５．０センチメートルとされている。
【００２０】
そして、ドラム３の内側に植立された攪拌混練翼４についてはその長さを短めに、ドラム３の両外側に植立され攪拌混練翼４についてはその長さを長めにするのが好ましい。このように長さの異なる攪拌混練翼４を自在に組み合わせることができる。
【００２１】
また、この攪拌混練翼４の材質についてはあらかじめ鋼材のものが市販されており、それを使用することがコスト的にも、また製品が容易にかつ大量に得られる上からも好ましい。しかし、前記鋼材からなる攪拌混練翼４であると、頻繁な攪拌混練作業によって比較的早い時期に摩耗してしまうこととなる。よって図５に示すように、全ての攪拌混練翼４の全面に略綾状、略縞状及び略格子状に交差させて図５のように丸棒状補強部材６を溶接等によって固着するものとする。
【００２２】
しかしてこのように補強すれば鋼材からなる攪拌混練翼４であってもかなり長期間の使用に耐えうる。よってコストが安価で、しかも簡単に製品を入手でき、さらに耐久性に優れた攪拌混練翼４を提供できる。
【００２３】
次に、図６に示すように一対の攪拌混練ドラム３のドラム軸心方向外側面の外周縁近傍位置には各々外側へ突出する補助攪拌混練翼７が円状に間隔をおいて複数本植立されている。
【００２４】
この補助攪拌混練翼７は従来の攪拌混練ヘッドには存在しないもので、このような補助攪拌混練翼７を各々植立することにより、攪拌混練ドラム３の軸心方向外側面近傍位置に滞留する玉石を含む砂礫や土砂等にセメント系ミルク類及びセメント系粉体類をも充分に攪拌混練することが出来るものとなる。
【００２５】
しかして、当該補助攪拌混練翼７の植立は片側のドラム外側面に２枚から５枚程度が好ましく、その長さは１０センチメートル程度とする。
【００２６】
そしてこの補助攪拌混練翼７についても鋼材で形成されているため外周面全体に略綾状、略縞状及び略格子状の丸棒状補強部材６を溶接等で固着しておくことが好ましい。
【００２７】
前述の攪拌混練翼４の場合と同様に、補助攪拌混練翼７についても丸棒状補強部材６で補強しておけば鋼材からなるものであってもかなり長期間の使用に耐えられ、もってコストが安価で、しかも簡単に製品を入手でき、さらに耐久性に優れた補助攪拌混練翼７を提供できる。
【００２８】
ところで、攪拌混練する対象土が礫混じりの粘性土である場合には、例えば任意の攪拌混練翼４に、該攪拌混練翼４の側面から５センチメートル以内の長さを有して突出する突起物９を形成したり、あるいはあらかじめ前記突起物９が設けられた攪拌混練翼４を使用することが好ましい。
【００２９】
このような攪拌混練ヘッド１を使用すれば、攪拌混練する対象土がたとえ前記のような粘性土であっても攪拌精度の均一性を充分に保持することが出来る。ここで、突起物９が設けられた攪拌混練翼４と突起物９が設けられていない攪拌混練翼４との取り替えについては何ら限定されるものではないが、具体的には、あらかじめ前記突起物９が設けられた攪拌混練翼４が植立する攪拌混練ヘッド１ごと交換することが考えられる。
【００３０】
また、現場において任意の攪拌混練翼４に溶接等によって前記突起物９を後付けしても構わない。
【００３１】
なお、突起物９の形状については何ら限定されるものではなく、その突出長さが５センチメートル以内のものであればどのような形状のものでもよい。
【００３２】
次に、攪拌混練ドラム３の外周面には、長尺板状の補強帯板８が、該補強帯板８の長さ方向がドラム３の円周方向または円周方向と直交する方向に向けて貼着され、前記攪拌混練ドラム３の外周面が補強されている。
【００３３】
通常、攪拌混練ドラム３は例えば鋼板をドラム状に曲げて形成しており、そのため曲げられる程度の厚みにせざるを得ない。しかし、このような厚みでは長期間の作業により攪拌混練ドラム３自体が摩耗し、凹んだり、破損したりすることとなる。
【００３４】
そして、ひいてはその凹み、破損が攪拌混練ヘッド１自体の寿命を縮めることとなる。すなわち、攪拌混練翼４あるいは補助攪拌混練翼７をいくら補強しても攪拌混練ドラム３自体が摩耗、凹みあるいは破損すれば、当該攪拌混練ヘッド１は使用不可能となるからである。
【００３５】
かかる補強帯板８の貼着は溶接等によりドラム外周面に貼り付ければよい。補強帯板８の貼着に際しては、図６から理解されるようにドラムの外周面回転方向に前記補強帯板８の長さ方向が平行するよう配置してもよいし、図７に示すようにドラムの幅方向に補強帯板８の長さ方向が平行するよう配置しても構わない。これにより攪拌混練ドラム３は長期間の攪拌混練作業によっても摩耗、凹みや破損がなく、ひいては攪拌混練ヘッド１自体の耐久性をコストを安価にして著しく向上できるものとなった。
【発明の効果】
以上説明したように本発明によれば、従来の攪拌混練ヘッドと比較し効率よく玉石を含む砂礫や土砂等にセメント系ミルク類及びセメント系粉体類の攪拌混練が行え、その結果質の良いコンクリート基礎あるいは構造物及び改良地盤が形成できるものとなる。
【００３６】
また従来の攪拌混練ヘッドに比し耐久性が向上した攪拌混練ヘッドが提供できる結果、作業コストを大幅に低廉化できる等優れた効果を奏する。
【図面の簡単な説明】
【図１】本発明による攪拌混練ヘッド部の概略構成の正面図である。
【図２】本発明による攪拌混練ヘッド部の概略構成の側面図であり、図１において攪拌混練ヘッド部を９０度回転させた図である。
【図３】本発明による攪拌混練ヘッド部の概略構成の正面図で、補助攪拌混練翼７の配置状態を示した図である。
【図４】本発明による攪拌混練ヘッド部の概略構成の側面図であり、補助攪拌混練翼７の配置状態を示した図であり、図３において攪拌混練ヘッド部を９０度回転させた図である。
【図５】本発明による攪拌混練ヘッド部の概略構成の側面図であり、攪拌混練翼に丸棒状補強部材、攪拌ドラムには補強帯板を配置した図である。
【図６】本発明による攪拌混練ヘッド部の概略構成の正面図で、攪拌混練ドラムに対して補強帯板の配置状態を示した図である。
【図７】本発明による攪拌混練ヘッド部の概略構成の正面図で、図６における補強帯板の他の配置状態を示した図である。
【図８】本発明による攪拌混練ヘッド部の概略構成の正面図で、任意の攪拌混練翼に突起物を設けた構成を示した図である。
【符号の説明】
１ 攪拌混練ヘッド
２ 支持杆
３ 攪拌混練ドラム
４ 攪拌混練翼
５ ブームアーム先端部
６ 丸棒状補強部材
７ 補助攪拌混練翼
８ 補強帯板
９ 突起物
【図１】
0003852683.tif 000002
【図２】
0003852683.tif 000003
【図３】
0003852683.tif 000004
【図４】
0003852683.tif 000005
【図５】
0003852683.tif 000006
【図６】
0003852683.tif 000007
【図７】
0003852683.tif 000008
【図８】
0003852683.tif 000009